(57)【要約】【課題】修正対象の領域を自動的に抽出して修正した後に、個々の修正個所について修正前の画像を復元可能とする。【解決手段】画像データから修正対象となる部分画像の特徴を有する領域を抽出する抽出手段と、抽出手段によって抽出された画像データの領域それぞれについて、適切な種類の修正処理を適用する修正処理手段と、抽出手段によって抽出された個々の領域を特定するための領域指定情報と、これらの領域に適用された処理の種類を示す種別情報を含む処理前の該当領域の画像データを復元するための復元管理情報とを修正履歴情報として収集する修正履歴収集手段と、修正履歴情報を含むタグ情報を作成するタグ情報作成手段と、タグ情報と修正処理手段によって生成された画像データとを関連付けて記憶媒体に記録する画像記録手段とを備える。【選択図】      図１
2008005202.tif 000002
【特許請求の範囲】
【請求項１】
画像データから修正対象となる部分画像の特徴を有する領域を抽出する抽出手段と、
前記抽出手段によって抽出された画像データの領域それぞれについて、適切な種類の修正処理を適用する修正処理手段と、
前記抽出手段によって抽出された個々の領域を特定するための領域指定情報と、これらの領域に適用された処理の種類を示す種別情報を含む前記処理前の該当領域の画像データを復元するための復元管理情報とを修正履歴情報として収集する修正履歴収集手段と、
前記修正履歴情報を含むタグ情報を作成するタグ情報作成手段と、
前記タグ情報と前記修正処理手段によって生成された画像データとを関連付けて記憶媒体に記録する画像記録手段と
を備えたことを特徴とする画像処理装置。
【請求項２】
請求項１に記載の画像処理装置において、
前記修正履歴収集手段は、前記抽出手段によって抽出された修正対象の領域の画像データを復元管理情報の一部として収集する画像収集手段を備えた
ことを特徴とする画像処理装置。
【請求項３】
請求項１に記載の画像処理装置において、
前記修正履歴収集手段は、前記抽出手段によって抽出された修正対象の領域の画像データに基づいて、前記修正対象の領域の代表的な色を表す代表色データを生成し、この代表色データを復元管理情報の一部としてタグ情報作成手段の処理に供する代表色生成手段を備えた
ことを特徴とする画像処理装置。
【請求項４】
請求項１に記載の画像処理装置において、
前記タグ情報作成手段は、
前記修正履歴情報の取捨選択について予め決定された基準に基づいて、前記履歴収集手段によって１フレームの画像について収集された修正履歴情報それぞれの優先順位を決定する優先順位決定手段と、
前記優先順位決定手段によって決定された優先順位とタグ情報のデータサイズの上限とに基づいて、前記履歴収集手段によって収集された修正履歴情報からタグ情報を構成する修正履歴情報を選択する選択手段とを備えた
ことを特徴とする画像処理装置。
【請求項５】
記憶媒体に画像データとともに記録されたタグ情報に含まれる修正履歴情報を読み出す履歴読出手段と、
前記履歴読出手段によって読み出された各修正履歴情報に含まれる領域指定情報で示される画像データの領域について、対応する復元管理情報に基づいて、修正処理の適用前の画像データを復元する復元処理手段と、
前記復元処理手段による復元処理対象となった領域に対応して前記タグ情報の一部として記憶媒体に記録された修正履歴情報を更新し、前記復元処理が行われたことを示すタグ情報更新手段と
を備えたことを特徴とする画像処理装置。
【請求項６】
請求項５に記載の画像処理装置において、
前記履歴読出手段は、
前記タグ情報に含まれる修正履歴情報の一部である領域指定情報に基づいて、対応する画像データに基づいて表示された画像において修正適用領域を示す表示を行う領域表示手段と、
前記領域表示手段によって表示された修正適用領域それぞれについて復元処理対象の領域を選択するか否かを示す指定情報の入力を受け付ける受付手段と、
前記指定情報で指定された修正履歴情報を選択的に前記復元処理手段の処理に供する履歴抽出手段とを備えた
ことを特徴とする画像処理装置。
【請求項７】
請求項５に記載の画像処理装置において、
前記復元処理手段は、領域指定情報で示される画像データの領域を復元管理情報に含まれる画像データによって置き換えることにより復元処理を行う置換手段を備えた
ことを特徴とする画像処理装置。
【請求項８】
請求項５に記載の画像処理装置において、
前記復元処理手段は、領域指定情報で示される画像データの領域の色を対応する復元管理情報に含まれる代表色データで示される色に変換する色変換手段を備えた
ことを特徴とする画像処理装置。
【発明の詳細な説明】
【技術分野】
【０００１】
本発明は、デジタルカメラなどによる撮影によって得られた画像データから予め指定された特徴を持つ領域を自動抽出してその特徴に対応した画像処理を行う画像処理装置に関する。
【背景技術】
【０００２】
デジタルカメラ内部の画像処理機能の一つとして、あるいは、取得された画像データの補正や印刷を行う画像処理ソフトウェアの機能の一つとして、いわゆる「赤目」除去機能が提供されている(特許文献１、２参照)。
この「赤目」除去機能は、画像データから「赤目」の特徴を持つ領域を自動的に抽出し、抽出した領域の画素値を適切な色(例えば、人間あるいは動物の瞳孔の色として適切な色)に対応する値に変換する機能である。これにより、ストロボを使用して人物を撮影した場合などに、人物の瞳孔に不自然な色が現れる「赤目現象」を一括して解消し、自然な印象の画像を得ることができる。
【特許文献１】特開２００４−２０８２８１号公報
【特許文献２】特開２００５−１６７３３２号公報
【発明の開示】
【発明が解決しようとする課題】
【０００３】
ところで、上述した赤目除去機能では、必ずしも、「赤目現象」が現れている個所だけが修正されるとは限らない。なぜなら、赤目除去機能において、修正対象の領域を抽出する際に適用される条件によって「赤目」の領域だけが抽出されるとは限らないからである。
赤目除去機能に限らず、修正対象の領域を修正目的に応じた条件に基づいて自動的に抽出しようとすれば、類似した特徴を持ちながら、本来修正対象ではない領域が抽出されてしまう可能性がある。このように、本来修正対象ではない領域について、赤目除去処理のような修正処理を行うと、不必要な修正によってかえって画像が損なわれる場合がある。
【０００４】
一方、抽出する修正対象領域を絞り込む条件を厳密に設定すれば、誤って抽出される個所は減少すると思われるが、逆に、修正対象として抽出されるべき個所が抽出されない可能性が大きい。
また、例えば、撮影画像を表示して利用者に提供した上で、修正対象の領域それぞれについて、利用者に修正を行うか否かを確認しつつ修正処理を行う方法も考えられるが、多数の人物を撮影した際などに、このような確認を個々の被写体について行うのでは操作が煩雑になってしまう。
【０００５】
本発明は、修正対象の領域を自動的に抽出して修正した後に、個々の修正個所について修正前の画像を復元可能とする画像処理装置を提供することを目的とする。
【課題を解決するための手段】
【０００６】
本発明にかかわる第１の画像処理装置の原理は、以下の通りである。
抽出手段は、画像データから修正対象となる部分画像の特徴を有する領域を抽出する。修正処理手段は、抽出手段によって抽出された画像データの領域それぞれについて、適切な種類の修正処理を適用する。修正履歴収集手段は、抽出手段によって抽出された個々の領域を特定するための領域指定情報と、これらの領域に適用された処理の種類を示す種別情報を含む前記処理前の該当領域の画像データを復元するための復元管理情報とを修正履歴情報として収集する。タグ情報作成手段は、修正履歴情報を含むタグ情報を作成する。画像記録手段は、タグ情報と前記修正処理手段によって生成された画像データとを関連付けて記憶媒体に記録する。
【０００７】
本発明にかかわる第２の画像処理装置の原理は、以下の通りである。
上述した第１の画像処理装置に備えられた修正履歴収集手段において、画像収集手段は、抽出手段によって抽出された修正対象の領域の画像データを復元管理情報の一部として収集する。
本発明にかかわる第３の画像処理装置の原理は、以下の通りである。
【０００８】
上述した第１の画像処理装置に備えられた修正履歴収集手段において、代表色生成手段は、抽出手段によって抽出された修正対象の領域の画像データに基づいて、前記修正対象の領域の代表的な色を表す代表色データを生成し、この代表色データを復元管理情報の一部としてタグ情報作成手段の処理に供する。
本発明にかかわる第４の画像処理装置の原理は、以下の通りである。
【０００９】
上述した第１の画像処理装置に備えられたタグ情報作成手段において、優先順位決定手段は、修正履歴情報の取捨選択について予め決定された基準に基づいて、前記履歴収集手段によって１フレームの画像について収集された修正履歴情報それぞれの優先順位を決定する。選択手段は、優先順位決定手段によって決定された優先順位とタグ情報のデータサイズの上限とに基づいて、前記履歴収集手段によって収集された修正履歴情報からタグ情報を構成する修正履歴情報を選択する。
【００１０】
本発明にかかわる第５の画像処理装置の原理は、以下の通りである。
履歴読出手段は、記憶媒体に画像データとともに記録されたタグ情報に含まれる修正履歴情報を読み出す。復元処理手段は、履歴読出手段によって読み出された各修正履歴情報に含まれる領域指定情報で示される画像データの領域について、対応する復元管理情報に基づいて、修正処理の適用前の画像データを復元する。タグ情報更新手段は、復元処理手段による復元処理対象となった領域に対応して前記タグ情報の一部として記憶媒体に記録された修正履歴情報を更新し、前記復元処理が行われたことを示す。
【００１１】
本発明にかかわる第６の画像処理装置の原理は、以下の通りである。
上述した第５の画像処理装置に備えられる履歴読出手段において、領域表示手段は、タグ情報に含まれる修正履歴情報の一部である領域指定情報に基づいて、対応する画像データに基づいて表示された画像において修正適用領域を示す表示を行う。受付手段は、領域表示手段によって表示された修正適用領域それぞれについて復元処理対象の領域を選択するか否かを示す指定情報の入力を受け付ける。履歴抽出手段は、指定情報で指定された修正履歴情報を選択的に復元処理手段の処理に供する。
【００１２】
本発明にかかわる第７の画像処理装置の原理は、以下の通りである。
上述した第５の画像処理装置に備えられる復元処理手段において、置換手段は、領域指定情報で示される画像データの領域を復元管理情報に含まれる画像データによって置き換えることにより復元処理を行う。
本発明にかかわる第８の画像処理装置の原理は、以下の通りである。
【００１３】
上述した第５の画像処理装置に備えられた復元処理手段において、色変換手段は、領域指定情報で示される画像データの領域の色を対応する復元管理情報に含まれる代表色データで示される色に変換する。
【発明の効果】
【００１４】
本発明にかかわる画像処理装置によれば、赤目除去機能などによる修正個所を修正前の画像に復元するために必要な情報を、修正後の画像データに対応するタグ情報の一部として残すことができるので、例えば、デジタルカメラ内部で修正処理を行った結果として得られた画像データと合わせて、パソコンの画像処理ソフトウェアによる補正処理に供することができる。
【００１５】
また、上述したようにして画像データに対応して記録されたタグ情報に基づいて、個々の修正個所を選択的に修正前の画像に戻すことにより、適切な個所について適用された修正処理結果を維持しながら、不要な修正によって損なわれた画像を修復し、最終的に良好な画像を提供することができる。
【発明を実施するための最良の形態】
【００１６】
以下、図面に基づいて、本発明の実施形態について詳細に説明する。
（第１の実施形態）
図１に、本発明にかかわる画像処理装置を適用したデジタルカメラの第１の実施形態を示す。
図１に示したデジタルカメラにおいて、画像の撮影の際に撮影光学系２１によって撮像素子２２上に結像された光は、この撮像素子２２によってその強度に応じた電気信号に変換され、更に、アナログ／デジタル(Ａ／Ｄ)変換器２３によってデジタルデータに変換されてメモリ２４に保持される。
【００１７】
図１に示したメモリ２４は、バスを介して画像処理部２５、記録処理部２６および撮影制御部２８に接続されている。上述したようにしてメモリ２４に格納された画像データについて、画像処理部２５に備えられた補間処理部３１、修正処理部３２および画像圧縮処理部３５により圧縮処理を含む適切な画像処理が行われ、この画像処理結果として得られた圧縮画像データがバスを介して記録処理部２６に渡され、記憶媒体２７に記録される。また、これらの各部の動作は、撮影制御部２８によって制御されている。
【００１８】
図１に示した修正処理部３２は、例えば、赤目除去処理に代表される修正処理を行う機能を備えており、このような修正処理の過程において、修正履歴収集部３３は、修正処理の対象となった画像データの領域それぞれについて、修正処理に関する修正履歴情報を収集し、タグ情報作成部３４に渡す。このタグ情報作成部３４は、撮影制御部２８から渡される撮影条件などを示すタグ情報に修正履歴収集部３３から受け取った修正履歴情報を付加することにより、各画像データに対応するタグ情報を作成する。作成されたタグ情報は、記録処理部２６に渡され、各画像データに関連付けられて記憶媒体２７に記録される。
【００１９】
図２に、修正履歴情報の記録処理にかかわる各部の詳細構成を示す図を示す。また、図３に、修正履歴情報の記録処理動作を表す流れ図を示す。
図１に示した補間処理部３１による補間処理によって形成された１フレームの画像データがメモリ２４に格納されると(図３のステップ３０１)、図２に示した修正処理部３２において、領域抽出部３６は、特徴定義保持部３７に保持された修正対象の画像の特徴に基づいて、修正対象の画像を含む修正対象領域を抽出する(ステップ３０２)。
【００２０】
例えば、いわゆる「赤目」を表す画像データに共通して見られる特徴を示す特徴定義情報を特徴定義保持部３７に保持しておき、領域抽出部３６が、この特徴定義情報で示される特徴を示す領域をメモリ２４に保持された画像データから修正対象領域として抽出することにより、画像データに捉えられた被写体の数にかかわらず、「赤目」現象が発生しているらしい個所が自動的に抽出され、画像修正部３８による修正処理に供される。
【００２１】
このようにして抽出された修正対象領域について、位置情報収集部４１により、例えば、修正対象領域の左上の画素位置とこの領域の縦横の画素数とからなる位置情報が収集され、また、抽出された画像データそのものが画像情報収集部４２によって収集される(図３のステップ３０３、３０４)。また、このとき、上述した特徴定義情報に対応する修正処理の種別を示す種別情報が、図２に示した領域抽出部３６から修正履歴収集部３３の履歴情報生成部４３に渡され、画像修正部３８による画像修正処理と並行して修正履歴情報の生成が行われ(図３のステップ３０５)、画像修正部３８による画像修正処理結果はメモリ２４に保持された画像データに反映され、また、図２に示した履歴情報生成部４３によって生成された修正履歴情報は、タグ情報作成部３４に渡されて、履歴保持部４４に保持される。
【００２２】
上述したようにして、修正対象領域が抽出されるごとに、抽出された修正対象領域の修正処理および修正履歴情報の作成が行われ、全ての修正対象領域の修正処理が完了したときに(図３のステップ３０６の肯定判定)、履歴保持部４４に保持された修正履歴情報に基づいてタグ情報を作成する処理がタグ情報作成部３４によって開始される。
まず、図２に示した履歴ソート部４５により、優先条件保持部４７に保持された条件に従って履歴情報保持部４４に保持された修正履歴情報の並べ替えが行われ(図３のステップ３０７)、次いで、履歴情報選択部４６により、並べ替えられた修正履歴情報から優先順位の高い順番に所定の容量を上限として修正履歴情報が選択される(ステップ３０８)。
【００２３】
なお、履歴情報保持部４４に保持された全ての修正履歴情報に対応する記憶容量が予め決定された上限以下である場合は、修正履歴情報のソート処理および選択処理を行わなくてもよい。また、優先条件保持部４７に保持する条件としては、例えば、「面積の大きい修正対象領域に対応する修正履歴情報の優先順位を高くする」などが挙げられる。
履歴情報選択部４６によって選択された修正履歴情報は、履歴付加部４８により、撮影制御部２８から受け取ったタグ情報に付加される(ステップ３０９)。
【００２４】
このようにして、撮影画像ごとに、適用された修正処理内容を詳細に示す修正履歴情報を含むタグ情報が作成され、このタグ情報が、画像圧縮処理部３５による圧縮処理結果とともに記録処理部２６に渡され、圧縮画像データとタグ情報とが互いに関連付けられて記憶媒体２７に記録される(ステップ３１０)。
このように、圧縮画像データに関連付けて上述したような修正履歴情報を記録することにより、圧縮画像データを形成する過程において適用された修正処理に関する情報を、記録された圧縮画像データを記憶媒体２７から読み出してから実行される様々な処理に供することができる。
【００２５】
なお、図２に示した特徴定義保持部３７に複数の種別の修正処理に対応する特徴を定義しておくことにより、領域抽出部３６によってそれぞれの種別ごとに修正対象領域を抽出させ、これらの修正対象領域に関する修正履歴情報を得ることも可能である。この場合に、それぞれの修正処理にかかわる修正履歴情報は、種別情報によって区別されている。
また、修正処理部３２による修正結果をそのまま記憶媒体２７に記録する際に、上述した修正履歴情報を含むタグ情報を付加する構成とすることも可能である。また一方、補間処理部３１による補間処理結果として得られる未処理のＲＡＷデータを記録媒体２７に記録し、この記録媒体２７をパソコンに装着してＲＡＷデータを読み出し、パソコンの画像処理ソフト上で上述したような修正処理を施した際に、修正履歴情報をタグ情報に付加することも可能である。
【００２６】
また、撮影画像の取得に際して、顔検出機能を利用した自動焦点制御が適用されていることが撮影制御部２８から渡されるタグ情報で示された場合などに、顔が検出されている領域の内部にある修正対象領域の優先順位を高くする旨の優先条件を図２に示した優先条件保持部４７に保持することで、主要な被写体である人物にかかわる修正履歴情報を確実に記録することができる。
【００２７】
逆に、人の顔を撮影した画像における「赤目」に特に適合した条件を用いて修正対象領域を抽出している場合には、顔検出にかかわる領域から抽出された修正対象領域に関する修正はほぼ確実に適正であるとして、該当する修正対象領域に対応する修正履歴情報の優先順位を低くする旨の優先条件を優先条件保持部４７に保持することで、誤った修正が適用された可能性が高い個所に対応する修正履歴情報を優先的に記録することも可能である。
【００２８】
また、図２に示した修正履歴収集部３３において、画像情報収集部４２によって収集された画像データをそのまま履歴情報生成部４３に渡す代わりに、収集された画像データに基づいて、修正対象領域において代表的な色を示す代表色情報を作成し、この代表色データを履歴情報生成部４３に渡すことにより、個々の修正対象領域に対応する修正履歴情報のデータ量を抑制することができる。
（第２の実施形態）
図４に、本発明にかかわる画像処理装置の第２の実施形態を示す。
【００２９】
図４に示した実施形態において、本発明にかかわる画像処理装置は、例えば、カードリーダ５１を備えたパーソナルコンピュータによって実現されている。
図４において、カードリーダ５１、画像圧縮伸長処理部５２、メモリ５３および画像修正処理部５６は、バスを介して互いに接続されている。また、図４に示したカードリーダ５１に装着されたＳＤカードなどの記憶媒体２７から読み出された圧縮画像データは、画像圧縮伸長処理部５２によって復元され、メモリ５３に格納される。このようにして復元された画像データや画像修正処理部５６による修正結果は、表示処理部５４を介して表示部５５に渡され、利用者に提供される。一方、利用者がマウスなどの入力機器５８を操作することによって入力された指示は、入力制御部５７を介して各部に通知される。
【００３０】
図４に示した画像修正処理部５６において、修正適用処理部６３は、図２に示した修正処理部３２に相当する機能を備えており、修正制御部６１からの指示に応じて指定された修正処理を実行する。一方、図４に示した修正解消処理部６２は、修正制御部６１からの指示に応じて、カードリーダ５１を介して修正対象の画像データに対応するタグ情報を読み出し、このタグ情報を用いて後述する修正解消処理を実行する。また、上述した修正適用処理部６３および修正解消処理部６２による処理結果に基づいて、タグ情報管理部６４により、後述するタグ情報の更新処理が行われる。
【００３１】
図５に、画像修正処理部の詳細構成を示す。また、図６に、修正解消動作を表す流れ図を示す。
図５において、利用者によって表示部５５によって表示されている画像データに関する修正解消処理が指示されると、この指示は、修正制御部６１を介して解消制御部７１に渡され、これに応じて、修正解消処理が開始する。
【００３２】
このとき、解消制御部７１からの指示に応じて、タグ情報管理部６３のタグ情報読出部７２により、カードリーダ５１を介して記憶媒体２７に表示中の画像データに対応して記録されているタグ情報が読み出され(図６のステップ３１１)、次いで、履歴情報抽出部７３により、このタグ情報から修正履歴情報が抽出されて履歴情報保持部７４に格納される(ステップ３１２)。
【００３３】
このようにして履歴情報保持部７４に保持された修正履歴情報に含まれる位置情報は、解消制御部７１を介して図５に示した領域表示指示部７５に渡される。そして、この位置情報に基づいて、領域表示指示部７５によって、修正対象領域を示す表示制御情報が作成され、表示処理部５４による表示処理に供される(図６のステップ３１３)。
この表示制御情報に基づいて表示部５５が表示処理を行うことにより、例えば、修正対象領域を示す矩形の枠を画像に重ねて表示し、修正が適用された個所を利用者が直感的に把握できるように支援することができる。
【００３４】
そして、これらの枠のいずれかを指定する利用者による操作に応じて、指定された枠に対応する表示画面上の位置を示す情報が、入力制御部５７および修正制御部６１を介して修正解消処理部６２の解消制御部７１に渡される(図６のステップ３１４)。
この表示画面上の位置を示す情報に基づいて、解消制御部７１により、履歴情報保持部７４から指定された枠に対応する位置情報を含む修正履歴情報が検索され(図６のステップ３１５)、図５に示した置換処理部７６に渡される。これに応じて、置換処理部７６により、この修正履歴情報に含まれる画像データによってメモリ５３に保持された該当する領域の画像データを置き換える処理を行うことにより(図６のステップ３１６)、指定された個所について適用された修正処理が解消される。
【００３５】
このようにして、所望の個所について適用された修正処理を個別に解消して、元の画像を復元することができる。
なお、修正履歴情報に修正対象領域の画像データの代わりに代表色データを含んでいる場合は、置換処理部７６により、修正対象領域の各がその色を上述した代表色データに置き換えることで、該当する個所に適用された修正処理を解消し、元の画像に相当する画像を復元することができる。
【００３６】
また、このようにして修正処理が解消された後に、解消制御部７１により、修正処理が解消された旨の修正履歴情報が作成され、この修正履歴情報と上述したステップ３１５で履歴情報保持部７４から検索された修正履歴情報とが、図５に示した履歴情報編集部７７に渡される。これに応じて、この履歴情報編集部７７により、例えば、図７に示すように、元の修正履歴情報に、修正処理の種別を示す情報として修正処理が解消された旨を示す「解消」を追加する編集処理が行われる(図６のステップ３１７)。
【００３７】
上述したように、利用者による指示に応じて指定された個所に適用された修正処理を解消していき、修正処理の解消が必要な全ての個所についての解消処理が完了したときに(図６のステップ３１８の肯定判定)、それまでの処理の過程において履歴情報編集部７７によって得られた修正履歴情報が、タグ情報更新部７８を介してカードリーダ５１に渡され、記憶媒体２７に記録されたタグ情報が書き換えられる(図６のステップ３１９)。
【００３８】
このようにして、修正処理の適用を解消したことをタグ情報に残しておくことにより、例えば、赤目修正処理の適用が不適切と利用者に判断された個所と適切と判断された個所とを確実に対比させ、赤目修正処理の対象領域を抽出する条件を調整するなど、修正処理の高精度化を図ることができる。
また、パーソナルコンピュータの高度な演算機能を利用した複雑な修正処理に関する履歴情報を、上述した赤目修正処理の適用に関する修正履歴情報を含むタグ情報に追加することも可能である。
【００３９】
例えば、図５に示した修正適用処理部６３によって適用された新たな修正処理に対応して、修正対象領域に関する位置情報と修正処理の種別を示す情報と修正前の画像データとからなる修正履歴情報を、履歴情報編集部７７を介してタグ情報更新部７８の処理に供することにより、上述した新たな修正処理に関する履歴情報をタグ情報に追加することができる。
【００４０】
また、パーソナルコンピュータに備えられたハードディスクなどの大容量の記憶媒体を利用すれば、タグ情報に関する容量の制限を緩めることができるので、例えば、広い範囲にわたる修正処理についてもタグ情報に修正履歴情報を残すことができる。
このようにしてタグ情報に残された修正履歴情報は、画像処理アプリケーションを終了した後も、画像データに関連して維持される。したがって、例えば、画像処理アプリケーションを終了した後に、再度立ち上げ直して、前に適用した修正処理を解消するなど、画像処理アプリケーション内で提供されるアンドゥ機能では不可能な処理を実現することができる。
【００４１】
また、例えば、画像処理アプリケーションの機能を利用して様々な修正処理を適用した場合のように、タグ情報に複数の修正処理種別に対応する修正履歴情報が含まれている場合には、図５に示した履歴情報抽出部７３により、解消しようとしている修正処理の種別に対応する修正履歴情報を抽出して、履歴情報保持部７４に保持させることも可能である。
【産業上の利用可能性】
【００４２】
以上に説明したように、本発明にかかわる画像処理装置は、デジタルカメラに広く搭載されている赤目修正機能のように比較的単純な修正処理はもちろん、パーソナルコンピュータの高い演算能力を駆使して実現される複雑な修正処理についても、個々の修正個所について個別に修正処理の解消を実現することができる。
しかも、処理対象である画像データに関連するタグ情報の一部として、適用された修正処理を解消するために必要な情報を残しているので、例えば、デジタルカメラの電源を切った後でも、あるいは、パーソナルコンピュータの電源を切った後でも、更には、タグ情報つきの画像データを別のデジタルカメラやパーソナルコンピュータで読み込んだ場合でも、委細にかかわらず、適用済みの修正処理を随時に解消することが可能である。
【００４３】
このような特徴は、アプリケーション内に限定された履歴情報では決して実現することはできないので、デジタルカメラを始めとする撮影装置に組み込まれた画像処理装置およびパーソナルコンピュータで実現される画像処理装置において極めて有用である。
【図面の簡単な説明】
【００４４】
【図１】本発明にかかわる画像処理装置を適用したデジタルカメラの第１の実施形態を示す図である。
【図２】修正履歴の記録処理にかかわる各部の詳細構成を示す図である。
【図３】修正履歴情報の記録動作を表す流れ図である。
【図４】本発明にかかわる画像処理装置の第２の実施形態を示す図である。
【図５】画像修正処理部の詳細構成を示す図である。
【図６】修正解消動作を表す流れ図である。
【図７】タグ情報の編集処理を説明する図である。
【符号の説明】
【００４５】
２１…撮影光学系、２２…撮像素子、２３…アナログ／デジタル(Ａ／Ｄ)変換器、２４、５３…メモリ、２５…画像処理部、２６…記録処理部、２７…記憶媒体、２８…撮影制御部、３１…補間処理部、３２…修正処理部、３３…修正履歴収集部、３４…タグ情報作成部、３５…画像圧縮部、３６…領域抽出部、３７…特徴定義保持部、３８…画像修正部、４１…位置情報収集部、４２…画像情報収集部、４３…履歴情報生成部、４４、７４…履歴情報保持部、４５…履歴ソート部、４６…履歴情報選択部、４７…優先条件保持部、４８…履歴付加部、５１…カードリーダ、５２…画像圧縮伸長処理部、５４…表示処理部、５５…表示部、５６…画像修正処理部、５７…入力制御部、５８…入力装置、６１…修正制御部、６２…修正解消処理部、６３…修正適用処理部、６４…タグ情報管理部、７１…解消制御部、７２…タグ情報読出部、７３…履歴情報抽出部、７５…領域表示指示部、７６…置換処理部、７７…履歴情報編集部、７８…タグ情報更新部。
【図１】
2008005202.tif 000003
【図２】
2008005202.tif 000004
【図３】
2008005202.tif 000005
【図４】
2008005202.tif 000006
【図５】
2008005202.tif 000007
【図６】
2008005202.tif 000008
【図７】
2008005202.tif 000009